(57)【要約】【課題】  ロープ巻きドラムの支承装置を工事用足場の単管パイプ等の材料を利用して構成することにより、費用の低減を実現できるワイヤーロープ繰り出し装置を提供するものである。【解決手段】  ワイヤーロープ５が巻回された複数のロープ巻きドラム１の回転軸として工事用足場等に使用する単管パイプ３を用い、ドラムの幅方向の動きを単管パイプに取り付けたクランプ８で規制し、更に単管パイプを複数本用意し、これらの単管パイプを組立てる直交クランプ７及び単クランプ８を利用することにより、ワイヤーロープ繰り出し装置の据付架台を構成する。【選択図】    図２
2006160451.tif 000002
【特許請求の範囲】
【請求項１】
ワイヤーロープが巻回された複数のロープ巻きドラムの回転軸として工事用足場等に使用する単管パイプを用い、前記ドラムの幅方向の動きを前記単管パイプに取り付けたクランプで規制し、更に前記単管パイプを複数本用意し、これらの単管パイプを組立てる直交クランプ及び単クランプを利用することにより、ワイヤーロープ繰り出し装置の据付架台を構成することを特徴とするワイヤーロープの繰り出し装置。
【請求項２】
ワイヤーロープが巻回された複数のロープ巻きドラムの回転軸として工事用足場等に使用する単管パイプを用い、前記ドラムの幅方向の動きを前記単管パイプに取り付けたクランプで規制し、更に前記単管パイプを複数本用意し、これらの単管パイプを組立てる直交クランプ及び単クランプを利用してワイヤーロープ繰り出し装置の据付架台を構成したものであって、
前記単管パイプに取り付け固定された取付基部と、前記取付基部に揺動可能にガイドされる制動板との間に設けられた押圧ばねにより、前記制動板を前記ロープ巻きドラムの鍔部外周に押し付けて、前記ロープ巻きドラムの回動を制動する制動装置を前記ワイヤーロープ繰り出し装置に付加したことを特徴とするワイヤーロープの繰り出し制動装置。
【請求項３】
取付基部は単管パイプに取り付け固定された押え金ブラケットであり、制動板は前記押え金ブラケットに取り付けられてロープ巻きドラムの上方部の鍔部外周に対向位置することを特徴とする請求項２記載のワイヤーロープの繰り出し制動装置。
【請求項４】
押え金ブラケットは、ドラム径の異なる複数のロープ巻きドラムの鍔部外周を制動するために、複数の取り付け穴を設けたことを特徴とする請求項３記載のワイヤーロープの繰り出し制動装置。
【請求項５】
押え金ブラケットは、据付時にロープ巻きドラムの鍔部外周に制動板が当らないように調整するための長穴を設けたことを特徴とする請求項３記載のワイヤーロープの繰り出し制動装置。
【請求項６】
押圧ばねは、制動板に適正な押し付け力が付与できるように調整可能に構成されていることを特徴とする請求項２記載のワイヤーロープの繰り出し制動装置。
【請求項７】
制動板は、ロープ巻きドラムの鍔部外径よりも大きい径の円弧の一部としたことを特徴とする請求項２記載のワイヤーロープの繰り出し制動装置。
【発明の詳細な説明】
【技術分野】
【０００１】
この発明は、ワイヤーロープ繰り出し装置及びワイヤーロープ繰り出し制動装置に関するものである。
【背景技術】
【０００２】
従来、エレベータの主ロープ用巻取装置として、主ロープを巻回したドラムの上部に制動枠を設け、この制動枠はドラムの耳部の上方部に制動シューが設けられ、制動枠のハンドルを押すと、制動シューと耳部の摺動部とが接触し、ドラムが制動されるように構成されたものがある（例えば、特許文献１参照）。
【０００３】
【特許文献１】特許第３１９３６４３号公報（図１、００１０欄）
【発明の開示】
【発明が解決しようとする課題】
【０００４】
従来のエレベータの主ロープ用巻取装置では、ドラムの鍔部（耳部）を手動により制動シューで押さえ、ドラムの回転速度を減速させている。従って、絶えず手動により制動力を加えている必要があり、人手を要するため、効率が悪いものであった。
【０００５】
この発明は、上述のような課題を解決するためになされたもので、その目的は、ロープ巻きドラムの支承装置を工事用足場の単管パイプ等の材料を利用して構成することにより、費用の低減を実現できるワイヤーロープ繰り出し装置及びワイヤーロープ繰り出し制動装置を提供するものである。
【課題を解決するための手段】
【０００６】
この発明に係るワイヤーロープ繰り出し装置は、ワイヤーロープが巻回された複数のロープ巻きドラムの回転軸として工事用足場等に使用する単管パイプを用い、ドラムの幅方向の動きを単管パイプに取り付けたクランプで規制し、更に単管パイプを複数本用意し、これらの単管パイプを組立てる直交クランプ及び単クランプを利用することにより、ワイヤーロープ繰り出し装置の据付架台を構成するものである。
【０００７】
また、この発明に係るワイヤーロープ繰り出し制動装置は、ワイヤーロープが巻回された複数のロープ巻きドラムの回転軸として工事用足場等に使用する単管パイプを用い、ドラムの幅方向の動きを単管パイプに取り付けたクランプで規制し、更に単管パイプを複数本用意し、これらの単管パイプを組立てる直交クランプ及び単クランプを利用してワイヤーロープ繰り出し装置の据付架台を構成したものであって、単管パイプに取り付け固定された取付基部と、取付基部に揺動可能にガイドされる制動板との間に設けられた押圧ばねにより、制動板をロープ巻きドラムの鍔部外周に押し付けて、ロープ巻きドラムの回動を制動する制動装置をワイヤーロープ繰り出し装置に付加したものである。
【発明の効果】
【０００８】
この発明は、建築現場やエレベータの据付工事現場等の足場として多く用いられている単管パイプを使用して、ワイヤーロープ繰り出し装置の据付架台を構成することができるので、現場で安価に組立てることができ、特別な専用のドラム支承装置が不要となる。また、ロープ巻きドラムの鍔部外周を押圧ばねの押し付け力により容易に制動できるので、人手を省き作業性を向上できる効果がある。
【発明を実施するための最良の形態】
【０００９】
実施の形態１．
図１はこの発明の実施の形態１におけるワイヤーロープ繰り出し制動装置を適用するエレベータ昇降路の概略構成を示す立面図、図２はこの発明の実施の形態１におけるワイヤーロープ繰り出し制動装置を示す平面図、図３は同じくワイヤーロープ繰り出し制動装置を示す正面図、図４は同じくワイヤーロープ繰り出し制動装置を示す側面図、図５は同じくワイヤーロープ繰り出し制動装置の一部拡大図、図６は同じくワイヤーロープ繰り出し制動装置の主要部の拡大図、図７は図６の一部を拡大して示す説明図である。
【００１０】
この発明によるワイヤーロープ繰り出し制動装置のロープ巻きドラム１は、例えば、図１に示すように、エレベータの最下階乗場２に組立てた足場用の単管パイプ３を利用して設置され、そこから昇降路４の頂部に向かって複数本のワイヤーロープ５を繰り出すものである。
図において、１ａ〜１ｆはワイヤーロープ５が巻回された複数個のロープ巻きドラムで、鍔部（耳部）が両側部に形成されている。３は建築現場やエレベータの据付工事現場等の足場として多く用いられている単管パイプで、水平方向又は垂直方向に配設される。６ａ〜６ｆはロープ巻きドラム１ａ〜１ｆの外側鍔部の上方部にそれぞれ設けられた押え金ブラケット、７は水平及び垂直に直交する２本の単管パイプ３を十文字状に組立てる直交クランプ、８は１本の単管パイプ３に取り付けられる単クランプである。これら複数の単管パイプ３と、直交クランプ７及び単クランプ８を利用してワイヤーロープ繰り出し装置の据付架台を構成している。
【００１１】
ロープ巻きドラム１ａ〜１ｆは、図２に示すように、最前列２個、中間列２個、最後列２個の計６個が配設されている。すなわち、水平方向に配設された最前列の単管パイプ３ａに左右２個の最前列のロープ巻きドラム１ａ、１ｂが回動可能に挿通されており、この単管パイプ３ａの中央部には、各ドラム１ａ、１ｂの内側鍔部に当接して各ドラム１ａ、１ｂの位置を規制する単クランプ８ａ、８ｂが取り付けられており、これにより最前列のロープ巻きドラムを構成している。また、水平方向に配設された中間列の単管パイプ３ｂに左右２個の中間列のロープ巻きドラム１ｃ、１ｄが回動可能に挿通されており、この単管パイプ３ｂの中央部には、各ドラム１ｃ、１ｄの内側鍔部に当接して各ドラム１ｃ、１ｄの位置を規制する単クランプ８ｃ、８ｄが取り付けられており、これにより中間列のロープ巻きドラムを構成している。更にまた、水平方向に配設された最後列の単管パイプ３ｃに左右２個の最後列のロープ巻きドラム１ｅ、１ｆが回動可能に挿通されており、この単管パイプ３ｃの中央部には、各ドラム１ｅ、１ｆの内側鍔部に当接して各ドラム１ｅ、１ｆの位置を規制する単クランプ８ｅ、８ｆが取り付けられており、これにより最後列のロープ巻きドラムを構成している。
【００１２】
上記最前列のロープ巻きドラム１ａ、１ｂは、最前列の単管パイプ３ａの両端部において、それぞれ垂直方向に配設された最前列の単管パイプ３ｄ、３ｅと直交し、この直交部分に設けられた直交クランプ７ａ、７ｂにより持ち上げられ、最前列に固定されている。また、中間列のロープ巻きドラム１ｃ、１ｄは、中間列の単管パイプ３ｂの両端部において、それぞれ垂直方向に配設された中間列の単管パイプ３ｆ、３ｇと直交し、この直交部分に設けられた直交クランプ７ｃ、７ｄにより持ち上げられ、中間列に固定されている。更にまた、最後列のロープ巻きドラム１ｅ、１ｆは、最後列の単管パイプ３ｃの両端部において、それぞれ垂直方向に配設された最後列の単管パイプ３ｈ、３ｉと直交し、この直交部分に設けられた直交クランプ７ｅ、７ｆにより持ち上げられ、最後列に固定されている。
【００１３】
そして、最前列の単管パイプ３ａ、中間列の単管パイプ３ｂ、及び最後列の単管パイプ３ｃは、その各両端部において、左右一対の水平方向の単管パイプ３ｊ、３ｋとそれぞれ直交し、この直交部分にそれぞれ設けられた直交クランプ７ｇ〜７ｌにより井桁状に組立てられている。また、垂直方向の単管パイプ３ｄ〜３ｉの下端部には、図３、図４に示すように、単管パイプ３ｄ〜３ｉの左右、前後の高さを調整するジャッキベース９ａ〜９ｆが設けられている。
上記のように組立てられた６個のロープ巻きドラム１ａ〜１ｆから６本のワイヤーロープ５が繰り出される。
【００１４】
上記ロープ巻きドラム１ａ〜１ｆの外側鍔部の上方部にそれぞれ設けられた取付基部としての押え金ブラケット６ａ〜６ｆは、図５（６ｂが代表的に図示されている）に示すように、左右一対の水平方向の単管パイプ３ｊ、３ｋ、及び直交クランプ７ｇ〜７ｌ等によりその下端部がボルト、ナットにより固定されている。１０は押え金ブラケット６ａ〜６ｆにそれぞれ取り付けられた押え金、１１は押え金１０の下面に設けられた円弧状の制動板で、上記ロープ巻きドラム１ａ〜１ｆの外側鍔部の上方部に対向位置している。この円弧状の制動板１１は、ロープ巻きドラム１ａ〜１ｆの鍔部外径よりも大きい径の円弧の一部としている。１２ａは下端部が押え金１０の一方の押え金受座１０ａに溶接固定されたねじ棒で、その上端部は押え金ブラケット６の上面板を貫通して遊挿嵌合されている。１３ａはねじ棒１２ａに巻装されたコイルばねからなる押圧ばね、１４ａはこの押圧ばね１３ａの下端部の動きを規制するダブルナットからなる止めナット、１５ａは押え金ブラケット６の上面板の上に設けられたダブルナットからなる締め付けナット、１６ａは押え金ブラケット６に押え金１０を取り付けるための上部ボルト、１７ａはこの上部ボルト１６ａにねじ込まれるダブルナットからなる上部ナット、１６ｂは押え金ブラケット６に押え金１０を取り付けるための下部ボルト、１７ｂはこの下部ボルト１６ｂにねじ込まれるダブルナットからなる下部ナット、１６ｃ及び１７ｃは押え金ブラケット６を左右一対の水平方向の単管パイプ３ｊ、３ｋに取り付けるためのボルト及びナットである。
【００１５】
また、図６はロープ巻きドラム１ａ〜１ｆの外側鍔部の上方部にそれぞれ設けられる押え金制動機構の詳細構造を示すものである。図６において、押え金１０、一方の押え金受座１０ａ、制動板１１、ねじ棒１２ａ、押圧ばね１３ａ、ダブルナットからなる止めナット１４ａ、ダブルナットからなる締め付けナット１５ａ、上部ボルト１６ａ、下部ボルト１６ｂ、ボルト１６ｃ及びナット１７ｃは、図５と同一のものを表わしている。そして、図６の図中左側にもほぼ同様に構成された他方の押え金受座１０ｂ、ねじ棒１２ｂ、押圧ばね１３ｂ、ダブルナットからなる止めナット１４ｂ、ダブルナットからなる締め付けナット１５ｂ、ボルト１６ｄ及びナット１７ｄが左右対称となるように設けられている。１８ａは押え金ブラケット６の中央上部に設けられた上下方向に長い長穴で、上部ボルト１６ａが挿入される。１８ｂは押え金ブラケット６の中央下部に設けられた上下方向に長い長穴で、下部ボルト１６ｂが挿入される。１９は押え金ブラケット６ｂの下端部に設けられる直交クランプ７ｈをボルト１６ｃ及びナット１７ｃで固定する複数個の取り付け穴で、押え金ブラケット６ｂの左右両側の下端部の上下３個所にそれぞれ設けられている。また、単管パイプ３ａを上下３箇所に図示しているのは、ロープ巻きドラム１ａ〜１ｆのドラム径が５００Φ、５６０Φ、６３０Φのものを架設した時における単管パイプ３ａ〜３ｃのそれぞれの位置を示している。また、上記取り付け穴１９の上下３個所の穴もドラム径が５００Φ、５６０Φ、６３０Φのものを架設した時に対応するものであり、使用径により取り付け穴１９を使い分ければ良い。
【００１６】
次に、ワイヤーロープ繰り出し制動装置１の組立ての一部について説明する。
まず、上部ボルト１６ａとダブルナットからなる上部ナット１７ａ、及び下部ボルト１６ｂとダブルナットからなる下部ナット１７ｂは、押え金ブラケット６の面に対して押え金１０が軽くスライドできるような状態で接触するように組み付けて、ダブルナットからなる上部ナット１７ａ、下部ナット１７ｂをロックナット締めする。
次に、上部ボルト１６ａと下部ボルト１６ｂの位置が、押え金ブラケット６側の長穴１８ａ、１８ｂのドラム径の反中心側端に位置する状態となるように、図７（ａ）に示すようにダブルナットからなるナット１５ａを回して押圧ばね１３を圧縮させる。上記のように組立てた状態では、図７（ａ）に示すように、制動板１１の制動面とロープ巻きドラム１の鍔部外周との間に隙間を持たせた状態となる。
上記のように組立てた制動装置組立品を、押え金ブラケット６の下端部をボルト１６ｃ、ナット１７ｃにより単管パイプ３ｋに固定する。
その後、後述する手順により押圧ばね１３ａを適正なばね力となる長さに設定する。このばねの押し付け力により、適正なロープ繰り出しができ、ドラムの回転を一定に保つことができる。所謂、ワイヤーロープの繰り出しを間欠的に運転した時の慣性により逸走を防止し、その結果繰り出されたワイヤーロープが絡まることを防止できる。なお、解体する時は、上記と逆の手順で行う。
【００１７】
なお、押圧ばね１３のセッティング調整は、例えば、図７に示すようにして行う。すなわち、前述の上部ボルト１６ａとダブルナットからなる上部ナット１７ａ、及び下部ボルト１６ｂとダブルナットからなる下部ナット１７ｂが、押え金ブラケット６の面に対して押え金１０が軽くスライドできるような状態で接触するように組み付けられ、上部ボルト１６ａと下部ボルト１６ｂの位置が、押え金ブラケット６側の長穴１８ａ、１８ｂのドラム径の反中心側端に位置する状態となるように、ナット１５ａを回して押圧ばね１３を圧縮させた状態に組立てた制動装置組立品を、ロープ巻きドラム１の鍔部径に応じて複数個からなる取り付け穴１９の上、中、下３箇所のいずれかの穴でボルト１６ｃ、ナット１７ｃで締め付け固定する。次に、図７（ｂ）に示すようにダブルナットからなるナット１５ａを緩めて、制動板１１の制動面をロープ巻きドラム１の鍔部外周に接触させる。更に、ナット１５ａを緩めて制動板１１の制動面がロープ巻きドラム１の鍔部外周に常に押圧されるようにした状態でナット１５ａのロックナット締めする。この状態で圧縮された押圧ばね１３の反力により制動板１１の制動面がドラム１の鍔部外周に押し付けられて、ロープ巻きドラム１に制動力を付加する。
更に、ロープ巻きドラム１への制動力を増加させる場合は、図７（ｃ）に示すように、ダブルナットからなる締め付けナット１４ａ、１４ｂを押圧ばね１３ａ、１３ｂを圧縮させる方向に回して、押圧ばね１３を更に圧縮させると、押圧ばね１３の反力が更に増大し、ロープ巻きドラム１への制動力が増加する。ロープ巻きドラム１への制動力を減少させる場合は、上記と逆の方向にダブルナットからなる締め付けナット１４ａ、１４ｂを回せばよい。
【００１８】
なお、円弧状の制動板１１の制動面の曲率は、例えば３種類のドラムの鍔部外径のうちの最大のものの外径を基準に、制動板１１の制動面の曲率を上記３種類のドラムの鍔部外径のうちの最大のものの外径より大きい曲率としており、ドラムの鍔部外径に対し制動面の中央部が接触するように設定されている。よって、上記の３種類のドラムのいずれのドラムの場合であっても、同一の制動板が共用できるため制動板を取り替える必要がなく、制動板の取り替えのための作業時間の削減ができ、作業の効率化が図れる。
また、実施の形態１では、３種類のドラム径に対応したものとなっているが、単管パイプ３の中心から制動板１１の制動面までの位置、及び制動面の曲率を対応するドラムの鍔部外径に合わせることで任意のドラム径への対応が可能となる。
更にまた、実施の形態１では、ワイヤーロープ５を６本繰り出す場合について説明しているが、例えばワイヤーロープ４本の場合は、ロープ巻きドラム１を４個で対応して構成すればよく、任意のワイヤーロープ繰り出し本数に対応可能である。
【図面の簡単な説明】
【００１９】
【図１】この発明の実施の形態１におけるワイヤーロープ繰り出し制動装置を適用するエレベータ昇降路の概略構成を示す立面図である。
【図２】この発明の実施の形態１におけるワイヤーロープ繰り出し制動装置を示す平面図である。
【図３】同じくワイヤーロープ繰り出し制動装置を示す正面図である。
【図４】同じくワイヤーロープ繰り出し制動装置を示す側面図である。
【図５】同じくワイヤーロープ繰り出し制動装置の一部拡大図である。
【図６】同じくワイヤーロープ繰り出し制動装置の主要部の拡大図である。
【図７】図６の一部を拡大して示す説明図である。
【符号の説明】
【００２０】
１ａ〜１ｆ  ロープ巻きドラム
２  最下階乗場
３ａ〜３ｋ  単管パイプ
４  昇降路
５  ワイヤーロープ
６ａ〜６ｆ  押え金ブラケット
７ａ〜７ｌ  直交クランプ
８ａ〜８ｆ  単クランプ
９ａ〜９ｆ  ジャッキベース
１０  押え金
１０ａ、１０ｂ  押え金受座
１１  制動板
１２ａ、１２ｂ  ねじ棒
１３ａ、１３ｂ  押圧ばね
１４ａ、１４ｂ  止めナット
１５ａ、１５ｂ  締め付けナット
１６ａ  上部ボルト
１６ｂ  下部ボルト
１６ｃ  ボルト
１７ａ  上部ナット
１７ｂ  下部ナット
１７ｃ  ナット
１８ａ、１８ｂ  長穴
１９  取り付け穴
【図１】
2006160451.tif 000003
【図２】
2006160451.tif 000004
【図３】
2006160451.tif 000005
【図４】
2006160451.tif 000006
【図５】
2006160451.tif 000007
【図６】
2006160451.tif 000008
【図７】
2006160451.tif 000009